(57)【要約】      （修正有）【課題】使用利便性を向上させる電気刺激式足裏マッサージ器を提供する。【解決手段】敷板１００及びホスト２００を備える電気刺激式足裏マッサージ器１０であって、敷板１００の上表面には隣接する第一導電性踏み領域１１０及び第二導電性踏み領域１２０が間隔を置いて設置され、２つの導電性踏み領域１１０、１２０にいずれも電気的接続点が設置され、ホスト２００は、パルス電流を出力することに用いられ、敷板１００に取り外し可能に取り付けられ、２つの電流出力点を有し、２つの電流出力点によってそれぞれ第一及び第二導電性踏み領域１１０、１２０における２つの電気的接続点に対応して電気的に接続される。【選択図】図１
0003220469.tif 000002
【実用新案登録請求の範囲】
【請求項１】
隣接する第一導電性踏み領域及び第二導電性踏み領域が間隔を置いて上表面に設置され、２つの前記導電性踏み領域にいずれも電気的接続点が設置される敷板と、
パルス電流を出力することに用いられ、前記敷板に取り外し可能に取り付けられ、２つの電流出力点を有し、２つの前記電流出力点によってそれぞれ前記第一及び第二導電性踏み領域における２つの電気的接続点に対応して電気的に接続されるホストと、を備えることを特徴とする電気刺激式足裏マッサージ器。
【請求項２】
前記電気的接続点と前記電流出力点はスナップボタンで設置され、前記ホストはスナップボタンの組み合わせによって敷板に取り外し可能に取り付けられることを特徴とする請求項１に記載の電気刺激式足裏マッサージ器。
【請求項３】
前記敷板はＥＶＡ底板と、前記ＥＶＡ底板の上表面に設置されるＰＵ板と、を含み、
前記ＰＵ板の上表面に銀ペースト層が塗布されており、前記銀ペースト層は間隔を置いて設置される第一銀ペースト層及び第二銀ペースト層を含み、前記第一銀ペースト層により前記第一導電性踏み領域を形成し、前記第二銀ペースト層により前記第二導電性踏み領域を形成することを特徴とする請求項１に記載の電気刺激式足裏マッサージ器。
【請求項４】
前記銀ペースト層が平織状又は席織状に設置されることを特徴とする請求項３に記載の電気刺激式足裏マッサージ器。
【請求項５】
前記敷板は、絶縁シリカゲル底板と、前記絶縁シリカゲル底板の上表面に設置される導電性シリカゲル層と、を含み、
前記導電性シリカゲル層は、間隔を置いて設置される第一導電性シリカゲル層及び第二導電性シリカゲル層を含み、前記第一導電性シリカゲル層により前記第一導電性踏み領域を形成し、前記第二導電性シリカゲル層により前記第二導電性踏み領域を形成することを特徴とする請求項１に記載の電気刺激式足裏マッサージ器。
【請求項６】
前記導電性シリカゲル層の表面に複数の突起が凸設されることを特徴とする請求項５に記載の電気刺激式足裏マッサージ器。
【請求項７】
前記絶縁シリカゲル底板と前記導電性シリカゲル層との間がホットプレスにより接続又は接着されることを特徴とする請求項５に記載の電気刺激式足裏マッサージ器。
【請求項８】
前記ホストに蓄電池が設置され、前記敷板内又は前記敷板の底部に発熱カーボンフィルムが設置され、前記発熱カーボンフィルムが前記蓄電池に回路接続されることを特徴とする請求項１〜７のいずれか一項に記載の電気刺激式足裏マッサージ器。
【請求項９】
前記敷板の底部に滑り止め模様が設置されることを特徴とする請求項８に記載の電気刺激式足裏マッサージ器。
【請求項１０】
前記滑り止め模様が波模様を呈するように設置されることを特徴とする請求項９に記載の電気刺激式足裏マッサージ器。
【考案の詳細な説明】
【技術分野】
【０００１】
本考案は、理学療法器具の技術分野に関し、特に電気刺激式足裏マッサージ器に関する。
【背景技術】
【０００２】
人々の生活水準の向上に伴い、人々はますます体の健康状態を重視してきた。更に、電気刺激式足裏マッサージ器が人々の日常生活の中で広く応用される。電気刺激式足裏マッサージ器は、足に対してマッサージ及び電気刺激による理学療法等を行うことができるため、ユーザはリラックスし理学療法を受けることができる。
【０００３】
しかしながら、従来の電気刺激式足裏マッサージ器はいずれも体積が比較的に大きな器具であるため、ユーザが容易に使用、携帯又は搬送できなかった。
【考案の概要】
【考案が解決しようとする課題】
【０００４】
容易に使用できないという問題を解決するために、本考案は電気刺激式足裏マッサージ器を提供することを主な目的とする。
【課題を解決するための手段】
【０００５】
上記目的を実現するために、本考案に係る電気刺激式足裏マッサージ器は、
上表面に隣接する第一導電性踏み領域及び第二導電性踏み領域が間隔を置いて設置され、２つの前記導電性踏み領域にいずれも電気的接続点が設置される敷板と、
パルス電流を出力することに用いられ、前記敷板に取り外し可能に取り付けられ、２つの電流出力点を有し、２つの前記電流出力点によってそれぞれ前記第一及び第二導電性踏み領域における２つの電気的接続点に対応して電気的に接続されるホストと、を備える。
【０００６】
好ましくは、前記電気的接続点と前記電流出力点はスナップボタンで設置され、前記ホストはスナップボタンの組み合わせによって敷板に取り外し可能に取り付けられる。
【０００７】
好ましくは、前記敷板はＥＶＡ底板と、前記ＥＶＡ底板の上表面に設置されるＰＵ板と、を含み、
前記ＰＵ板の上表面に銀ペースト層が塗布されており、前記銀ペースト層は間隔を置いて設置される第一銀ペースト層及び第二銀ペースト層を含み、前記第一銀ペースト層により前記第一導電性踏み領域を形成し、前記第二銀ペースト層により前記第二導電性踏み領域を形成する。
【０００８】
好ましくは、前記銀ペースト層が平織状又は席織状に設置される。
【０００９】
好ましくは、前記敷板は、絶縁シリカゲル底板と、前記絶縁シリカゲル底板の上表面に設置される導電性シリカゲル層と、を含み、
前記導電性シリカゲル層は、間隔を置いて設置される第一導電性シリカゲル層及び第二導電性シリカゲル層を含み、前記第一導電性シリカゲル層により前記第一導電性踏み領域を形成し、前記第二導電性シリカゲル層により前記第二導電性踏み領域を形成する。
【００１０】
好ましくは、前記導電性シリカゲル層の表面に複数の突起が凸設される。
【００１１】
好ましくは、前記絶縁シリカゲル底板と前記導電性シリカゲル層との間がホットプレスにより接続又は接着される。
【００１２】
好ましくは、前記ホストに蓄電池が設置され、前記敷板の内又は前記敷板の底部に発熱カーボンフィルムが設置され、前記発熱カーボンフィルムが前記蓄電池に回路接続される。
【００１３】
好ましくは、前記敷板の底部に滑り止め模様が設置される。
【００１４】
好ましくは、前記滑り止め模様が波模様を呈するように設置される。
【考案の効果】
【００１５】
本考案の技術案は、電気刺激式足裏マッサージ器において、敷板及びホストの組み合わせ設置によってマッサージ、電気理学療法、経絡疎通、及び筋肉に対する電気刺激効果を実現することができる。且つ、敷板の高さを随意に設定できるとともに、敷板の重量が極めて軽く、従って、電気刺激式足裏マッサージ器の使用、携帯、及び搬送等に極めて役立つ。且つ、ホストと敷板とが取り外し可能に接続されるため、更に敷板の洗浄、並びにホストの保守、整備及び取り替えに役立つ。
【図面の簡単な説明】
【００１６】
本考案の実施例又は従来技術における技術案をより明確に説明するために、以下に実施例又は従来技術の記述に利用する必要がある図面を簡単に紹介するが、当然ながら、以下に記載する図面は単に本考案の実施例の一部に過ぎず、当業者であれば、創造的な労力を要することなく、これらの図面に基づいて他の図面を得ることもできる。
【００１７】
【図１】本考案の電気刺激式足裏マッサージ器の一実施例の構造模式図である。
【図２】図１における電気刺激式足裏マッサージ器の構造分解図である。
【図３】本考案の電気刺激式足裏マッサージ器の他の実施例の構造模式図である。
【図４】図３における電気刺激式足裏マッサージ器の背面図である。
【図５】本考案の電気刺激式足裏マッサージ器の他の実施例の構造模式図である。
【図６】図５における部分構造の模式図である。
【図７】本考案の電気刺激式足裏マッサージ器の別の実施例の構造模式図である。
【図８】図７における部分構造の模式図である。
【図９】本考案の電気刺激式足裏マッサージ器の別の実施例の構造模式図である。
【図１０】図９における部分構造の模式図である。
【図１１】本考案の電気刺激式足裏マッサージ器のさらなる実施例の構造模式図である。
【図１２】本考案の電気刺激式足裏マッサージ器の部分構造の回路接続図である。
【００１８】
図面を参照しながら、実施例によって本考案の目的の実現、機能的特徴及び利点を更に説明する。
【考案を実施するための形態】
【００１９】
以下、本考案の実施例の図面を参照しながら、本考案の実施例の技術案を明確且つ完全に説明し、無論、説明される実施例は本考案の実施例の一部であり、実施例のすべてではない。本考案の実施例に基づき、当業者が創造的労働を必要とせずに得られる全ての他の実施例は、いずれも本考案の保護範囲に属する。
【００２０】
ただし、本考案の実施例におけるすべての方向についての指示（例えば上、下、左、右、前、後等）はある特定姿勢（図示参照）において各部材の相対位置関係、移動状況等を解釈するためのものに過ぎず、該特定姿勢が変化すると、該方向についての指示も対応して変化する。
【００２１】
また、本考案において、「第一」、「第二」等に関する説明は説明のためのものに過ぎず、その相対的重要性を指示又は暗示し、又は指示された技術的特徴の数を暗に示すと理解すべきではない。従って、「第一」、「第二」で制限された特徴は少なくとも１つの該特徴を明示的又は暗示的に含んでもよい。また、当業者が実現できることを前提として、各実施例の技術案を相互結合してもよいが、技術案の結合が矛盾し、又は実現できない場合に、このような技術案の結合が存在せず、本考案の保護範囲内に含まれないと見なされるべきである。
【００２２】
本考案は、足のマッサージ、筋肉に対する電気刺激、経絡疎通、及びリハビリテーション等に用いられる電気刺激式足裏マッサージ器を提供する。
【００２３】
図１に示すように、本考案は敷板１００及びホスト２００を備える電気刺激式足裏マッサージ器１０を提供する。以下、まず電気刺激式足裏マッサージ器１０の構造、並びにその接続関係及び位置関係を説明し、次に電気刺激式足裏マッサージ器１０の動作プロセスを具体的に説明する。
【００２４】
以下、電気刺激式足裏マッサージ器１０の構造、並びにその接続関係及び位置関係を説明する。説明の便宜上、「上下」方向で補助説明を行い、具体的な方向についての指示は図１１に示される。
【００２５】
具体的に、図１、図２及び図１１に示すように、前記敷板１００の上表面に第一導電性踏み領域１１０及び第二導電性踏み領域１２０が間隔を置いて設置されるため、２つの導電性踏み領域が非接触に設置される。且つ、２つの前記導電性踏み領域にいずれも電気的接続点１３０が設置される。なお、電気的接続点１３０は、敷板１００に設置された突起であってもよいし、導電性踏み領域のある領域により直接形成されてもよい。つまり、電気的接続点１３０が導電性踏み領域に電気的に接続され、且つ、電気的接続点１３０はホスト２００を接続することに用いられる。
【００２６】
第一導電性踏み領域１１０及び第二導電性踏み領域１２０の形成方式は様々であり、以下、２つの方式を挙げて具体的に説明するが、本考案は該２つのみの方式を保護するものではなく、当業者が論理分析、推理又は限られた実験によって得られる方式であれば、いずれも本考案の保護範囲に属する。具体的な実現方式は以下のとおりである。
【００２７】
第一方式として、図３に示すように、敷板１００の上表面には間隔を置いて設置された第一銀ペースト層１１１及び第二銀ペースト層１２１が塗布されており、前記第一銀ペースト層１１１により前記第一導電性踏み領域１１０が形成され、前記第二銀ペースト層１２１により前記第二導電性踏み領域１２０が形成される。従って、敷板１００における一方の電気的接続点１３０が第一銀ペースト層１１１に設置され、他方の電気的接続点１３０が第二銀ペースト層１２１に設置される。
【００２８】
本実施例に記載の銀ペースト層は平面塗布、平織設置、席織設置又は他のタイプの模様設置等を用いてもよい。そのほか、材料を容易に入手でき、プロセスを簡素化し、敷板１００の高さを合理的に制御し、使用強度を確保し、及び容易に携帯できるために完成品の重量を軽減するといった要素を考慮した上、本実施例において、前記敷板１００はＥＶＡ底板と、前記ＥＶＡ底板の上表面に設置されるＰＵ板と、を含むことが好ましい。従って、銀ペースト層が前記ＰＵ板の上表面に設置されると理解しやすい。
【００２９】
第二方式として、図２に示すように、前記敷板１００は、絶縁シリカゲル底板１４０と、前記絶縁シリカゲル底板１４０の上表面に設置される導電性シリカゲル層と、を含み、前記導電性シリカゲル層は、間隔を置いて設置される第一導電性シリカゲル層１１２及び第二導電性シリカゲル層１２２を含み、前記第一導電性シリカゲル層１１２により前記第一導電性踏み領域１１０を形成し、前記第二導電性シリカゲル層１２２により前記第二導電性踏み領域１２０を形成する。従って、敷板１００における一方の電気的接続点１３０が第一導電性シリカゲル層１１２に設置され、他方の電気的接続点１３０が第二導電性シリカゲル層１２２に設置される。前記絶縁シリカゲル底板１４０と前記導電性シリカゲル層との間がホットプレスにより接続又は接着され、且つ、導電性シリカゲル層の表面が円滑表面設置を用いてもよいし、特定の模様設置を用いてもよい。そのほか、本実施例の敷板１００はシリカゲル材質を用いるため、敷板１００は可撓性が高くなり、折れにくく、高さを制御でき、且つ汚れにくくて洗浄しやすい。
【００３０】
次に、ホスト２００に対して、ホスト２００は敷板１００に取り付けられ、且つ、ホスト２００は２つの電流出力点２１０を有し、該電流出力点は導電性踏み領域における電気的接続点１３０を電気的に接続することに用いられ、更にホスト２００の動作時に出力したパルス電流は電気的接続点１３０を通して導電性踏み領域に流れ込むことができる。ホスト２００における一方の電流出力点２１０が第一導電性踏み領域１１０における電気的接続点１３０に接続され、ホスト２００における他方の電流出力点２１０が第二導電性踏み領域１２０における電気的接続点１３０に接続されると理解しやすい。ホスト２００には回路基板、回路基板と電気的に接続される蓄電池、及び他の部品等が設置され、回路基板にはパルスモジュール、制御チップ及びスイッチモジュール等が設置される。
【００３１】
ただし、ホスト２００を敷板１００に取り付けて起動した後は、第一導電性踏み領域１１０及び第二導電性踏み領域１２０が分離しているため、このとき、ホスト２００から出力したパルス電流がループを形成できない。
【００３２】
また、ユーザの様々なニーズに応じて、ホスト２００の形状は、例えば円柱、角柱、三角柱、台状又はより多くの形状を柔軟に設定してもよく、ここで詳細な説明は省略する。且つ、ホスト２００を敷板１００に取り付ける方式は固定接続であってもよいし、取り外し可能な接続であってもよく、ホスト２００の使用、取り外し及び取り替えを容易にするために、好ましくは取り外し可能な接続である。具体的に、取り外し可能方式は挿入接続又は係着等であってもよく、本考案において、好ましくは、電気的接続点１３０及び電流出力点がスナップボタンで設置され、更にホスト２００がスナップボタンの組み合わせによって敷板１００に取り外し可能に取り付けられる係着方式である。
【００３３】
以下、電気刺激式足裏マッサージ器１０の動作プロセスを具体的に説明する。
【００３４】
まず、本願において、好ましくは、ホスト２００及び敷板１００がスナップボタンで取り外し可能に接続されるため、ホスト２００を敷板１００に締結し、次にホスト２００のスイッチボタンを制御することにより、ホスト２００を起動する。このとき、ホスト２００が同時に第一導電性踏み領域１１０及び第二導電性踏み領域１２０に電気的に接続される。
【００３５】
次に、ホスト２００を起動した後、ユーザが両足をそれぞれ第一導電性踏み領域１１０及び第二導電性踏み領域１２０に踏み付け、更に第一導電性踏み領域１１０及び第二導電性踏み領域１２０を電気的に接続させることにより、ループを形成する。このとき、ホスト２００から出力した電流がパルス電流であるため、ユーザはパルス電流の作用によって断続的に電気刺激され、それによりマッサージ、理学療法又は筋肉鍛錬を実現する。
【００３６】
ついでに、ホスト２００に出力電流の大きさを調整するボタンが設置されるため、ユーザが電気刺激強度を向上させる必要があるとき、出力電流を増加させるように調整すればよく、逆の場合、出力電流を減少させるように調整すればよい。
【００３７】
最後に、ユーザが使用し終わった後、ホスト２００を直接シャットダウンすればよい。
【００３８】
本考案の技術案は、電気刺激式足裏マッサージ器１０において、敷板１００及びホスト２００の組み合わせ設置によってマッサージ、電気理学療法、経絡疎通、及び筋肉に対する電気刺激効果を実現することができる。且つ、敷板１００の高さを随意に設定できるとともに、敷板１００の重量が極めて軽く、従って、電気刺激式足裏マッサージ器１０の使用、携帯、及び搬送等に極めて役立つ。且つ、ホスト２００と敷板１００とが取り外し可能に接続されるため、更に敷板１００の洗浄、並びにホスト２００の保守、整備及び取り替えに役立つ。
【００３９】
上記実施例を基に、図５〜図１０に示すように、前記ホスト２００に蓄電池が設置され、前記敷板１００に発電装置が取り付けられ、前記発電装置は前記敷板１００が踏まれるとき、発電することにより、ホスト２００における蓄電池を充電することに用いられる。
【００４０】
電気刺激式足裏マッサージ器１０は主に理学療法、鍛錬等の効果を発揮するため、該実施例において、発電装置を増設することにより、敷板１００が踏まれる際に発電し、それによりホスト２００における蓄電池を充電すると理解しやすい。従って、電気刺激式足裏マッサージ器１０の動作を停止した後、ユーザが敷板１００で足踏み（又はジャンプ）運動をして、更に生成された機械エネルギーを発電装置によって電気エネルギーに変換することで、蓄電池を充電するとともに、ユーザが足踏み又はジャンプする際に鍛錬効果を強化することができると理解される。
【００４１】
発電装置は主に磁束線を切ることにより発電する。具体的に、発電装置は磁石、磁束線切り素子、及びそれぞれが前記磁束線切り素子の両端に接続される２本の導線Ｌを備え、図１２に示すように、発電装置に２本の前記導線Ｌを介して整流器が電気的に接続され、前記整流器が充電回路によって前記ホスト２００における蓄電池に電気的に接続される。前記磁束線切り素子は、前記敷板１００が踏まれるとき、前記磁石の磁束線を切ることにより、磁気誘導による発電を行い、更に前記ホスト２００における蓄電池を充電することに用いられる。磁束線を切ることにより発電する方式は様々であり、例えば、以下の方式を含む。
【００４２】
第一方式として、図５及び図６に示すように、前記敷板１００内に第一収容室が設置され、前記第一収容室が前記第一導電性踏み領域に対応して設置される。前記第一収容室の底部に第一磁石３００が取り付けられ、前記第一磁石３００の上表面に第一圧縮ばね４００が設置され、前記第一圧縮ばね４００の下端が前記第一磁石３００に絶縁固定され、前記第一圧縮ばね４００の上端が前記敷板１００の先端に絶縁当接され、且つ前記第一圧縮ばね４００の両端にいずれも導線Ｌが接続され、２本の導線Ｌが整流器に接続され、且つ該整流器が充電回路によって前記ホスト２００における蓄電池に電気的に接続される。
【００４３】
具体的に、磁石の磁束線がＮ極からＳ極までであり、第一圧縮ばね４００がちょうど磁束線内に位置すると説明される。更に、ユーザが第一導電性踏み領域を踏むとき、第一圧縮ばね４００が圧縮回復動作を行い、更に磁束線を切ることにより、電流を発生する。電流が第一圧縮ばね４００両端の導線Ｌを通して整流器に流れ込むことにより、交流電流を直流電流に変換し、更に充電回路によってホスト２００における蓄電池を充電し、該蓄電池はパルス電流を発生することに用いられてもよい。
【００４４】
更に、磁気誘導による電流に影響しないことを確保するために、第一圧縮ばね４００の両端がそれぞれ第一磁石３００及び敷板１００の先端に絶縁接触するように設置されると説明すべきである。具体的な絶縁方式は様々であり、例えば、第一圧縮ばね４００の両端に絶縁ゴムを塗布し（２本の導線Ｌが絶縁層に接続されていない）、次に第一圧縮ばね４００の下端を接着（又は結束）方式で第一磁石３００に固定し、又は、第一圧縮ばね４００の下端を絶縁接着（又は結束）方式で固定するが、第一圧縮ばね４００の上端を絶縁板８００によって敷板１００の先端に当接させ、更に、又は、第一圧縮ばね４００の両端をいずれも絶縁板８００によってそれぞれ第一磁石３００に固定し、且つ敷板１００の先端に当接させる。
【００４５】
更に、電気エネルギーの発生量が十分であることを確保するために、第二導電性踏み領域の対応箇所にも発電装置が設置される。具体的に、前記敷板１００内に更に第二収容室が設置され、前記第二収容室が前記第二導電性踏み領域に対応して設置され、前記第二収容室の底部に第二磁石３１０が取り付けられ、前記第二磁石３１０の上表面に第二圧縮ばね４１０が設置され、前記第二圧縮ばね４１０の下端が前記第二磁石３１０に絶縁固定され、前記第二圧縮ばね４１０の上端が前記敷板１００の先端に絶縁当接され、且つ前記第二圧縮ばね４１０の両端にいずれも導線Ｌが接続され、２本の導線Ｌが整流器に接続され、且つ該整流器が充電回路によって前記ホスト２００における蓄電池に電気的に接続される。該実施例における発電装置の構造及び取付方式は第一収容室の内部構造を参照すればよく、ここで詳細な説明は省略するが、該実施例における接続される整流器は第一収容室内の発電装置に接続される整流器であってもよいし、他の整流器であってもよい。
【００４６】
第二方式として、図７及び図８に示すように、前記敷板１００内に第一中空室が設置され、前記第一中空室が前記第一導電性踏み領域に対応して設置され、前記第一中空室の底部に第三磁石３２０が取り付けられ、前記第三磁石３２０の上表面に第一弾性片５００が設置され、前記第一弾性片５００の下端が前記第三磁石３２０に絶縁固定され、前記第一弾性片５００の上端が前記敷板１００の先端に絶縁当接され、且つ前記第一弾性片５００の両端にいずれも導線Ｌが接続され、２本の導線Ｌは整流器に接続され、且つ前記整流器は充電回路によって前記ホスト２００における蓄電池に電気的に接続される。
【００４７】
磁石の磁束線がＮ極からＳ極までであり、第一弾性片５００がちょうど磁束線内に位置すると理解しやすい。更に、ユーザが第一導電性踏み領域を踏むとき、第一弾性片５００が上下に伸縮し、更に磁束線を切ることにより、電流を発生する。電流が第一弾性片５００両端の導線Ｌを通して整流器に流れ込むことにより、交流電流を直流電流に変換し、更に充電回路によってホスト２００における蓄電池を充電し、該蓄電池はパルス電流を発生することに用いられてもよい。
【００４８】
更に、磁気誘導による電流に影響しないことを確保するために、第一弾性片５００の両端がそれぞれ第三磁石３２０及び敷板１００の先端に絶縁接触するように設置すると説明すべきである。具体的な絶縁方式は様々であり、例えば、第一弾性片５００の両端に絶縁ゴムを塗布し（２本の導線Ｌが絶縁層に接続されていない）、次に第一弾性片５００の下端を接着（又は結束）方式で第三磁石３２０に固定し、又は、第一弾性片５００の下端を絶縁接着（又は結束）方式で固定するが、第一弾性片５００の上端を絶縁板８００によって敷板１００の先端に当接させ、更に、又は、第一弾性片５００の両端をいずれも絶縁板８００によってそれぞれ第三磁石３２０に固定し、且つ敷板１００の先端に当接させる。
【００４９】
更に、電気エネルギーの発生量が十分であることを確保するために、第二導電性踏み領域の対応箇所にも発電装置が設置される。具体的に、前記敷板１００内に更に第二中空室が設置され、前記第二中空室が前記第二導電性踏み領域に対応して設置され、前記第二中空室の底部に第四磁石３３０が取り付けられ、前記第四絶縁板８００の上表面に第二弾性片５１０が設置され、前記第二弾性片５１０の下端が前記第四磁石３３０に絶縁固定され、前記第二弾性片５１０の上端が前記敷板１００の先端に絶縁当接され、且つ前記第二弾性片５１０の両端にいずれも導線Ｌが接続され、２本の導線Ｌが整流器に接続され、且つ該整流器が充電回路によって前記ホスト２００における蓄電池に電気的に接続される。該実施例における発電装置の構造及び取付方式は第一中空室の構造を参照すればよく、ここで詳細な説明は省略するが、該実施例における接続される整流器は第一中空室内の発電装置に接続される整流器であってもよいし、他の整流器であってもよい。
【００５０】
第三方式として、図９及び図１０に示すように、前記敷板１００内に第一気室６００及び第二気室６１０が設置され、前記第一気室６００が前記第一導電性踏み領域に対応して設置され、前記第二気室６１０が前記第二導電性踏み領域に対応して設置され、且つ前記第一気室６００及び前記第二気室６１０にいずれも吹出口６２０が設置され、２つの前記吹出口６２０が対向して設置される。前記第一気室６００と前記第二気室６１０との間に取付収容室が設置され、前記取付収容室の底面及び頂面に２つの磁石が対向して設置され、且つ２つの磁石のＮ極及びＳ極が対向して設置される。前記収容室内に更に導電性ロータブレード７００が取り付けられ、該導電性ロータブレード７００の一端が回転可能に固定され、他端が２つの磁石の間を通り抜き、且つ前記第一気室６００及び前記第二気室６１０の吹出口６２０の間に延在し、同時に、該導電性ロータブレード７００の両端にいずれも導線Ｌが接続され、２本の導線Ｌが整流器に接続され、且つ該整流器が充電回路を介して前記ホスト２００における蓄電池に電気的に接続される。
【００５１】
具体的に、第一気室６００及び第二気室６１０はいずれも密閉された空洞体であるが、各空洞体はいずれも吹出口６２０を有し、且つ２つの吹出口６２０が対向して設置されると説明される。更に、第一気室６００と第二気室６１０との間の取付収容室も密閉された空洞体であり、該密閉された空洞体が同時に２つの吹出口６２０に連通し、このため、第一気室６００が吹出口６２０からガスを排出するとき、取付収容室を通して第二気室６１０に直接排出される。つまり、第一気室６００及び第二気室６１０のうちのいずれか１つの気室が排気するとき、２つの気室の吹出口６２０の間にガス流路を形成する。好ましくは、導電性ロータブレード７００の一端が回転可能に固定され、他端が２つの吹出口６２０の間に延在し（ガス流路にも位置する）、更にガスが流れるとき、導電性ロータブレード７００を吹いて揺動させる。同時に、導電性ロータブレード７００が２つの磁石の間に穿設されるため、更に導電性ロータブレード７００が揺動するとき、磁束線を切ることにより、電流を発生し、発生された電流が導電性ブレード両端の導線Ｌを通して整流器に流れ込むことにより、交流電流を直流電流に変換し、更に充電回路によってホスト２００における蓄電池を充電し、該蓄電池はパルス電流を発生することに用いられてもよい。
【００５２】
ユーザの両足がそれぞれ第一導電性踏み領域及び第二導電性踏み領域に置かれ、更にユーザが第一導電性踏み領域を踏むと、第一気室６００内のガスが第二気室６１０に流れ込むことにより、導電性ロータブレード７００を吹いて時計回り（又は逆時計回り）に回転させ、ユーザが第二導電性踏み領域を踏むと、第二気室６１０内のガスが第一気室６００に流れ込むことにより、導電性ロータブレード７００を吹いて逆時計回り（又は時計回り）に回転させ、このように繰り返すことで、導電性ロータブレード７００が回転して、磁束線を切ることにより、磁気誘導による発電を行うと理解しやすい。
【００５３】
ただし、磁石の取付を容易にするために、本実施例において、好ましくは、２つの磁石が同じＵ型磁石３４０の対向する両極であり、無論、２つの異なる磁石を利用してもよい。
【００５４】
他の実施例において、図２及び図１１に示すように、前記敷板１００は絶縁シリカゲル底板１４０と、前記絶縁シリカゲル底板１４０の上表面に設置される導電性シリカゲル層と、を含み、前記導電性シリカゲル層は間隔を置いて設置される第一導電性シリカゲル層１１２及び第二導電性シリカゲル層１２２を含み、前記第一導電性シリカゲル層１１２により前記第一導電性踏み領域１１０を形成し、前記第二導電性シリカゲル層１２２により前記第二導電性踏み領域１２０を形成し、且つ、前記導電性シリカゲル層の表面に複数の突起９００が凸設される。複数の突起９００が設置され、更にユーザの足が導電性シリカゲル層に踏んで電気刺激を受けるとともに、突起９００でユーザの足のつぼをマッサージすることにより、より優れた健康効果を実現すると理解される。
【００５５】
他の実施例において、前記ホスト２００に蓄電池が設置され、前記敷板１００内又は前記敷板１００の底部に発熱カーボンフィルム（図示せず）が設置され、前記発熱カーボンフィルムが前記蓄電池に回路接続される。
【００５６】
なお、該実施例における蓄電池はパルス電流を発生する蓄電池であってもよいし、別途に設置される、発熱カーボンフィルムを電気的に接続するための蓄電池であってもよいが、好ましくはパルス電流を発生する蓄電池である。且つ、発熱カーボンフィルムと蓄電池との導通又は遮断は、パルス電流を制御するスイッチで直接制御されてもよいし、別途に設置されるスイッチで制御されてもよい。具体的に、例えば、パルス電流の制御及び発熱カーボンフィルムの動作の制御は同じスイッチを利用する。
【００５７】
従って、具体的に動作するとき、ユーザがホスト２００のスイッチを入れると、パルス電流が２つの導電性踏み領域に流れ込むとともに、発熱カーボンフィルムが発熱動作を開始すると理解しやすい。該実施例において、発熱カーボンフィルムが発熱するように設置する理由は、ユーザの足を加熱し、血液循環を促進し、より高い電気刺激効果等を実現するため、及びユーザがより低い温度環境において電気刺激式足裏マッサージ器１０を利用するとき、足の露出で寒気を感じることがないようにするためである。
【００５８】
別の実施例において、図４に示すように、電気刺激式足裏マッサージ器１０が使用中に移動することを防止するために、前記敷板１００の底部に滑り止め模様を設置して、上記問題の発生を避ける。滑り止め模様の設置方式は様々であり、例えば格子状、横線状、折れ線状、曲線状又は不規則形状等がある。好ましくは、本実施例において、前記滑り止め模様は波模様を呈するように設置される。更に、滑り止め模様は敷板１００の底部に設置されてもよく、敷板１００の底部が凸設されてなってもよく、更に敷板１００の底部が凹設されてなってもよい。
【００５９】
以上の説明は本考案の好適な実施例に過ぎず、本考案の技術的範囲を制限するためのものではなく、本考案の技術案構想を逸脱せずに、本考案の明細書及び図面の内容に基づき、構造に対して行った等価置換、又は他の関連する技術分野で直接／間接的に応用するものはいずれも本考案の保護範囲内に含まれる。
【符号の説明】
【００６０】
１０  電気刺激式足裏マッサージ器
１００  敷板
１１０  第一導電性踏み領域
１２０  第二導電性踏み領域
１３０  電気的接続点
１４０  絶縁シリカゲル層
１１１  第一銀ペースト層
１２１  第二銀ペースト層
１１２  第一導電性シリカゲル層
１２２  第二導電性シリカゲル層
２００  ホスト
２１０  電流出力点
３００  第一磁石
３１０  第二磁石
３２０  第三磁石
３３０  第四磁石
３４０  Ｕ型磁石
４００  第一圧縮ばね
４１０  第二圧縮ばね
５００  第一弾性片
５１０  第二弾性片
６００  第一気室
６１０  第二気室
６２０  吹出口
７００  導電性ロータブレード
８００  絶縁板
９００  突起
Ｌ  導線
【図１】
0003220469.tif 000003
【図２】
0003220469.tif 000004
【図３】
0003220469.tif 000005
【図４】
0003220469.tif 000006
【図５】
0003220469.tif 000007
【図６】
0003220469.tif 000008
【図７】
0003220469.tif 000009
【図８】
0003220469.tif 000010
【図９】
0003220469.tif 000011
【図１０】
0003220469.tif 000012
【図１１】
0003220469.tif 000013
【図１２】
0003220469.tif 000014